(57)【要約】  カートンは、カートン内部の少なくとも一部に広がる複数のパネルを含む。該複数のパネルは、第１のパネル（１２）を含み、少なくとも１つの終端フラップ（４６）は、該第１のパネル（１２）に折り曲げ可能に接続される。終端フラップは、ハンドル開口部と、該ハンドル開口部（５４）と隣接したハンドパネルとを含むことができる。強化パネル（８２）は、ハンドルパネルの少なくとも一部と重なり合う関係にある。強化パネル（８２）は、ハンドルパネルに接着されてもよい。強化パネル（８２）は、ハンドル開口部（５４）から離れたハンドルパネルの端部に折り曲げ可能に接続することが可能である。
2009524560.tif 000002
【特許請求の範囲】
【請求項１】
カートンであって、
前記カートン内部の少なくとも一部に広がる複数のパネルであって、第１のパネルを含む複数のパネルと、
前記第１のパネルに折り曲げ可能に接続される少なくとも１つの終端フラップであって、ハンドル開口部を少なくとも部分的に画定する終端フラップと、
前記終端フラップの少なくとも一部と重なり合う関係にある強化パネルと、
を備え、
前記強化パネルは、前記ハンドル開口部に近接し、
前記強化パネルは、前記終端フラップの端部に折り曲げ可能に接続され、
前記終端フラップの前記端部は、前記ハンドル開口部から離れている、カートン。
【請求項２】
前記ハンドル開口部を閉鎖するための閉鎖フラップをさらに備える、請求項１に記載のカートン。
【請求項３】
前記強化パネルは、前記ハンドル開口部の端部の少なくとも一部に沿って伸び、実質的にそれと類似した形状となる、請求項１に記載のカートン。
【請求項４】
前記終端フラップは、前記ハンドル開口部と隣接したハンドルパネルを備え、
前記強化パネルは、前記ハンドルパネルの少なくとも一部と重なり合う関係にあり、
前記終端フラップの端部に折り曲げ可能に接続される前記強化パネルは、前記ハンドルパネルの端部に折り曲げ可能に接続される前記強化パネルを含み、
前記ハンドルパネルの前記端部は、前記ハンドル開口部から離れている、請求項１に記載のカートン。
【請求項５】
前記強化パネルは、第１の強化パネルであり、
前記第１の強化パネルが折り曲げ可能に接続される前記ハンドルパネルの前記端部は、前記ハンドルパネルの第１の端部であり、
前記カートンは、前記ハンドルパネルの少なくとも一部と重なり合う関係にある第２の強化パネルをさらに備え、
前記第２の強化パネルは、前記ハンドルパネルの第２の端部に折り曲げ可能に接続され、
前記ハンドルパネルの前記第２の端部は、前記ハンドル開口部から離れており、
前記ハンドルパネルの前記第１および第２の端部は、互いに反対方向にある、請求項４に記載のカートン。
【請求項６】
前記第１のパネルは、ボトムパネルであり、
前記終端フラップは、ボトム終端フラップである、請求項４に記載のカートン。
【請求項７】
前記強化パネルは、前記ハンドルパネルに接着され、
前記カートン内部の少なくとも一部に広がる前記複数のパネルは、サイドパネルを含み、
前記カートンは、前記サイドパネルに折り曲げ可能に接続され、少なくとも部分的に前記カートンの終端部を閉鎖する、少なくとも１つのサイド終端フラップをさらに含み、
前記強化パネルは、前記サイド終端フラップに解放可能なように接着される、請求項６に記載のカートン。
【請求項８】
前記強化パネルは、前記ハンドルパネルに接着され、
前記カートン内部の少なくとも一部に広がる前記複数のパネルは、サイドパネルを含み、
前記カートンは、前記サイドパネルに折り曲げ可能に接続され、少なくとも部分的に前記カートンの終端部を閉鎖する、少なくとも１つのサイド終端フラップをさらに含み、
前記ボトム終端フラップは、前記ボトムパネルと前記ハンドルパネルとの間に位置する中間パネルをさらに含み、
前記中間パネルと前記サイド終端フラップとの間に接続があり、
前記強化パネルと前記サイド終端フラップとの間に接続があり、  
前記中間パネルと前記サイド終端フラップとの間の前記接続は、前記強化パネルと前記サイド終端フラップとの間の前記接続よりも強固である、請求項６に記載のカートン。
【請求項９】
前記カートン内部の少なくとも一部に広がる前記複数のパネルは、サイドパネルを含み、
前記カートンは、前記サイドパネルに折り曲げ可能に接続され、少なくとも部分的に前記カートンの終端部を閉鎖する、少なくとも１つのサイド終端フラップをさらに含み、
前記強化パネルが前記サイド終端フラップから突き出されたことが少なくとも部分的に起因して、前記サイド終端フラップが開口部を画定するように、前記強化パネルは前記サイド終端フラップから突き出される、請求項６に記載のカートン。
【請求項１０】
カートンであって、
前記カートン内部の少なくとも一部に広がる複数のパネルと、
それぞれ少なくとも間接的に枢動可能に前記複数のパネルに接続される、第１および第２のハンドルフラップであって、前記複数のパネルから離れるように反対方向に枢動する第１および第２のハンドルフラップと、
を備え、
前記ハンドルフラップは相隔たっており、
前記ハンドルフラップのそれぞれは、ハンドル開口部を画定する、カートン。
【請求項１１】
それぞれ前記ハンドル開口部を閉鎖するための閉鎖フラップをさらに備える、請求項１０に記載のカートン。
【請求項１２】
前記複数のパネルは、ボトムパネルを含み、
前記カートンは、それぞれ前記ボトムパネルの反対の終端部に折り曲げ可能に接続される、第１および第２のボトム終端フラップをさらに含み、
前記第１のハンドルフラップは、前記第１ボトム終端フラップに折り曲げ可能に接続され、
前記第２のハンドルフラップは、前記第２ボトム終端フラップに折り曲げ可能に接続される、請求項１０に記載のカートン。
【請求項１３】
ブランクであって、
それぞれ折り曲げ可能に互いに接続される複数のパネルと、
前記複数のパネルの第１のパネルに折り曲げ可能に接続される第１の終端フラップと、
前記複数のパネルの第２のパネルに折り曲げ可能に接続される第２の終端フラップと、
を備え、
前記第１の終端フラップは、少なくとも部分的にハンドル開口部を画定し、
前記第２の終端フラップは、前記第１の終端フラップに折り曲げ可能に接続される強化パネルを含む、ブランク。
【請求項１４】
前記複数のパネルの第３のパネルに折り曲げ可能に接続される第３の終端フラップをさらに備え、
前記強化パネルは、第１の強化パネルであり、
前記第１の強化パネルは、前記第１の終端フラップの第１の端部に折り曲げ可能に接続され、
前記第３の終端フラップは、前記第１の終端フラップの第２の端部に折り曲げ可能に接続される第２の強化パネルを含み、
前記第１終端フラップの前記第１および第２の端部は、互いに反対方向にある、請求項１３に記載のブランク。
【請求項１５】
ブランクであって、
それぞれ折り曲げ可能に互いに接続される複数のパネルと、
前記複数のパネルの第１のパネルに折り曲げ可能に接続される第１の終端フラップと、
前記複数のパネルの第２のパネルに折り曲げ可能に接続される第２の終端フラップと、
を備え、
強化パネルは、前記第１の終端フラップの少なくとも一部と重なり合う関係にあってそれに接着され、
前記強化パネルが前記第２終端フラップから突き出されたことが少なくとも部分的に起因して、前記第２終端フラップが開口部を画定するように、前記強化パネルは前記第２終端フラップから突き出される、ブランク。
【請求項１６】
前記強化パネルは、前記第１の終端フラップの端部に折り曲げ可能に接続される、請求項１５に記載のブランク。
【請求項１７】
前記複数のパネルの第３のパネルに折り曲げ可能に接続される第３の終端フラップをさらに備え、
前記強化パネルは、第１の強化パネルであり、
第２の強化パネルは、前記第１の終端フラップの少なくとも一部と重なり合う関係にあってそれに接着され、
前記第２の強化パネルが前記第３終端フラップから突き出されたことが少なくとも部分的に起因して、前記第３終端フラップが開口部を画定するように、前記第２の強化パネルは前記第３終端フラップから突き出される、請求項１５に記載のブランク。
【請求項１８】
前記第１の終端フラップは、ハンドルパネルを備え、
前記ハンドルパネルの少なくとも一部と重なり合う関係にあってそれに接着される前記強化パネルは、前記ハンドルパネルの少なくとも一部と重なり合う関係にあってそれに接着される前記強化パネルを含む、請求項１５に記載のブランク。
【請求項１９】
前記第１の終端フラップは、前記ハンドルパネルに近接するハンドル開口部を少なくとも部分的に画定する、請求項１８に記載のブランク。
【請求項２０】
ブランクから構造体を形成する方法であって、
それぞれ折り曲げ可能に互いに接続される複数のパネルと、前記複数のパネルの第１のパネルに折り曲げ可能に接続される第１の終端フラップと、前記複数のパネルの第２のパネルに折り曲げ可能に接続される第２の終端フラップと、を有するブランクを提供するステップであって、前記第１の終端フラップは、ハンドル開口部を少なくとも部分的に画定し、前記第２の終端フラップは、前記第１の終端フラップに折り曲げ可能に接続される強化パネルを含む、ステップと、
強化ハンドルを形成するステップであって、前記強化ハンドルを形成するステップは、前記強化パネルが、前記ハンドル開口部に近接する前記第１の終端フラップの少なくとも一部を強化するように、前記第１の終端フラップおよび前記強化パネルを相対的に重なり合う構成で配列するステップを含み、前記配列するステップは、前記強化パネルを前記第１の終端フラップに対し折り曲げるステップを含む、ステップと、
を含む、方法。
【請求項２１】
前記配列するステップは、前記強化パネルを前記第２の終端フラップから突き出すステップを含む、請求項２０に記載の方法。
【請求項２２】
前記突き出すステップは、前記第２の終端フラップにおける前記強化パネルを少なくとも部分的に画定する少なくとも１つの切り取り線に沿って切り取るステップを含む、請求項２１に記載の方法。
【請求項２３】
前記カートンの他の部分に対して前記強化ハンドルを枢動させるステップと、
少なくとも前記強化ハンドルによって前記カートンを持ち上げるステップと、をさらに含む、請求項２０に記載の方法。
【発明の詳細な説明】
【背景技術】
【０００１】
発明の背景
本発明は、概して、ハンドル機能を備えたキャリアまたはカートンに関する。
品物を保持、運搬または販売する目的で使用される板紙カートン等のカートンは公知である。これらのカートンは、通常は、望ましい機能や特性を得るために選択された部位が切り込まれ、ミシン目がつけられた板紙カートンブランクを折り曲げることで形成および組み立てられる。これらの機能には、切り取り線、ハンドル、開口機能、ディスペンサー、およびその他公知の特質が含まれる。
例えば様々なカートンハンドルが知られている。それでもなお、新たな特性のバランスを提供するハンドルが常に望まれている。
【発明の開示】
【０００２】
本発明のいくつかの態様の簡単な説明
本発明の一態様によれば、カートンのハンドル機能は、カートンを持ち上げ運搬する負荷を緩和することに役立つことができる。ハンドル機能は、カートンの相対する終端部に配置されるサイドハンドルであってもよい。
【０００３】
本発明の別の態様によれば、そこからカートンを組み立てることができるブランクを、少なくとも十分な機能性を維持しつつ、（例えば従来の二重式カートン設計と比較して）板紙の使用量を最小化するよう構成することができる。
【０００４】
本発明の一態様によれば、カートンは、カートン内部の少なくとも一部に広がる複数のパネルを含む。該複数のパネルは、第１のパネルを含み、少なくとも１つの終端フラップは、該第１のパネルに折り曲げ可能に接続される。強化パネルは、終端フラップの少なくとも一部と重なり合う関係となることができる。より具体的には、強化パネルは、ハンドルパネルの少なくとも一部と重なり合う関係となることができ、ハンドルパネルは、フラップ内に少なくとも部分的に画定されるハンドル開口部と通常隣接する終端フラップの一部である。強化パネルは、ハンドルパネルに接着されてもよい。強化パネルは、ハンドル開口部から離れたハンドルパネルの端部に折り曲げ可能に接続することが可能である。任意選択で、ハンドル開口部を閉鎖するために閉鎖フラップを設けることができ、強化パネルの端部は、ハンドル開口部の端部の少なくとも一部に沿って伸び、実質的にそれと類似した形状となることができる。
【０００５】
第１のパネルは、カートンのボトムパネルであってもよく、終端フラップは、ボトム終端フラップであってもよい。カートン内部の少なくとも一部に広がる複数のパネルは、サイドパネルを含むことができる。カートンの終端部を少なくとも部分的に閉鎖するサイド終端フラップは、サイドパネルに折り曲げ可能に接続することができる。強化パネルは、サイド終端フラップに接続する（例えば解放可能なように接着する）ことができる。一例では、強化パネルは、初めからサイド終端フラップから突き出されている。
【０００６】
ボトム終端フラップは、ボトムパネルとハンドルパネルとの間に位置する中間パネルをさらに含むことができる。一例では、中間パネルがサイド終端フラップに接続された（例えば接着された）状態のまま、ハンドルパネルがサイド終端フラップから離れて枢動可能なように、中間パネルとサイド終端フラップとの間の接続（例えば接着剤により形成される）は、強化パネルとサイド終端フラップとの間の接続（例えば接着剤により形成される）よりも強固である。
【０００７】
強化パネルは第１の強化パネルであってもよく、該第１の強化パネルが折り曲げ可能に接続されるハンドルパネルの端部は、ハンドルパネルの第１の端部であってもよい。カートンは、ハンドルパネルの少なくとも一部と重なり合う関係にある第２の強化パネルを含むことができる。該第２の強化パネルは、ハンドル開口部から離れたハンドルパネルの第２の端部に折り曲げ可能に接続することが可能であり、ハンドルパネルの第１および第２の端部は、互いに反対方向にあってもよい。
【０００８】
本発明の一態様によれば、カートンは、カートン内部の少なくとも一部に広がる複数のパネルを含み、第１および第２のハンドルフラップは、それぞれ少なくとも間接的に枢動可能に該複数のパネルに接続され、該複数のパネルから離れるように反対方向に枢動する。この態様によれば、ハンドルフラップは相隔たっており、ハンドルフラップのそれぞれがハンドル開口部を画定する。任意選択で、ハンドル開口部はそれぞれ、該ハンドル開口部の中に伸びる閉鎖フラップにより閉鎖される。カートンは、それぞれカートンのボトムパネルの相対する終端部に折り曲げ可能に接続されるボトム終端フラップを含むことができ、第１のハンドルフラップは、該ボトム終端フラップの１つに接続され（例えば折り曲げ可能に接続され）、第２のハンドルフラップは、他のボトム終端フラップに接続される（例えば折り曲げ可能に接続される）。任意選択で、ハンドルフラップを強化することができる。
【０００９】
本発明の一態様によれば、ブランクは、それぞれ折り曲げ可能に互いに接続される複数のパネルと、該複数のパネルの第１のパネルに折り曲げ可能に接続される第１の終端フラップと、該複数のパネルの第２のパネルに折り曲げ可能に接続される第２の終端フラップとを有する。第１の終端フラップは、ハンドル開口部を少なくとも部分的に画定し、第２の終端フラップは、第１の終端フラップに折り曲げ可能に接続される。ブランクは、該複数のパネルの第３のパネルに折り曲げ可能に接続される第３の終端フラップをさらに含むことができ、該第３の終端フラップは、第１の終端フラップの他の端部に折り曲げ可能に接続される第２の強化パネルを含む。
【００１０】
本発明の他の態様によれば、ブランクは、それぞれ折り曲げ可能に互いに接続される複数のパネルを含み、第１および第２の終端フラップは、それぞれ、該複数のパネルの第１および第２のパネルに接続される。第１の終端フラップは、それに近接したハンドル開口部を有してもよいハンドルパネルを備える。強化パネルは、ハンドルパネルの少なくとも一部と重なり合う関係にあってそれに接着される。強化パネルが第２終端フラップから突き出されたことが少なくとも部分的に起因して、第２終端フラップが開口部を画定するように、強化パネルは第２終端フラップから突き出される。強化パネルは、第１の終端フラップの端部に折り曲げ可能に接続されてもよい。
【００１１】
第２の強化パネルは、第１の終端フラップの少なくとも一部と重なり合う関係にあってそれに接着されてもよい。第２の強化パネルが第３終端フラップから突き出されたことが少なくとも部分的に起因して、第３終端フラップが開口部を画定するように、第２の強化パネルは第３終端フラップから突き出される。
【００１２】
本発明の一態様は、最初のブランクから、カートンまたは改良されたブランク等の構造体を形成する方法の提供である。例示的な方法によれば、ブランクが、それぞれ折り曲げ可能に互いに接続される複数のパネルと、該複数のパネルの第１のパネルに折り曲げ可能に接続される第１の終端フラップと、該複数のパネルの第２のパネルに折り曲げ可能に接続される第２の終端フラップとを有するように、ブランクが提供される。第１の終端フラップは、ハンドル開口部を少なくとも部分的に画定し、第２の終端フラップは、第１の終端フラップに折り曲げ可能に接続される。例示的な方法は、強化ハンドルを形成するステップを含む。この強化ハンドルを形成するステップは、強化パネルが、ハンドル開口部に近接する第１の終端フラップの少なくとも一部を強化するように、第１の終端フラップおよび強化パネルを相対的に重なり合う配置で配列するステップを含むことができる。この配列するステップは、強化パネルを第１の終端フラップに対し折り曲げるステップを含むことができる。一例では、この配列するステップは、強化パネルを第２の終端フラップから突き出すステップを含む。この突き出すステップは、第２の終端フラップにおける強化パネルを少なくとも部分的に画定する少なくとも１つの切り取り線に沿って切り取るステップを含むことができる。
【００１３】
この方法は、カートンの他の部分に対して強化ハンドルを枢動させるステップと、少なくともこの強化ハンドルによってカートンを持ち上げるステップとをさらに含むことができる。
本発明の他の態様および利点は、以下の説明により明らかとなるだろう。
本発明のいくつかの態様を概括的に述べたが、ここで、本発明の例示的な実施形態を図示し、正確な縮尺率とは限らず、概略的なものも含み、以下に簡潔に説明される付属の図面を参照する。
【発明を実施するための最良の形態】
【００１４】
例示的実施形態の詳細な説明
いくつかの図面を通して同様の数字は同様の部分を指している図面をさらに詳細に参照しながら、以下、本発明の例示的実施形態による構造体、つまりブランク、カートン、およびパッケージを参照する。
【００１５】
図１は、本発明の例示的な実施形態による、カートン（図６〜９）に形成可能なブランク１０を示す。図１のブランク１０をさらに詳細に参照すると、これは、折り目１４によりサイドパネル１６に接続される第１のトップパネル１２を含む。サイドパネル１６は、折り目１８でボトムパネル２０に接続される。ボトムパネル２０は、折り目２２によりサイドパネル２４に接続される。サイドパネル２４は、折り目２６で第２のトップパネル２８に接続される。ブランク１０はまた、パネル１２、１６、２０、２４、２８の周縁部それぞれに１つ以上の終端フラップを含み、図１において、終端フラップは、それぞれブランク１０の終端部の間に伸びる折り目１１、１３によりパネルに折り曲げ可能に接続されている。終端フラップの少なくともいくつかは任意である。より具体的には、また図１に示されるように、トップ終端フラップ３０、６０は、第２のトップパネル２８の相対する終端部に折り曲げ可能につながり、終端フラップ３２、５６は、サイドパネル２４の相対する終端部に折り曲げ可能に接続され、ボトム終端フラップ３６、５２は、ボトムパネル２０の相対する終端部に折り曲げ可能につながり、サイド終端フラップ４０、４８は、サイドパネル１６の相対する終端部に折り曲げ可能につながり、トップ終端フラップ４４、４６は、第１のトップパネル１２の相対する終端部に折り曲げ可能につながる。
【００１６】
枢動可能につながった閉鎖フラップ３８、５４は、それぞれのハンドル開口部を閉鎖／開口するために、それぞれボトム終端フラップ３６、５２に形成される。閉鎖フラップ３８、５４は、閉鎖フラップにより閉鎖されるハンドル開口部は、閉鎖フラップにより閉鎖されないように省略することができるため、任意選択であると見なされる。例えば、図２および３では、閉鎖フラップ５４は、それと関連したハンドル開口部が見えるように省略される。閉鎖フラップ３８、５４のそれぞれは、例えば、閉鎖フラップが折り目で枢動（折り曲げ）可能なように、折り目の相対する終端部の間で伸びる切り取り線および／またはスリットにより画定することができる。例えば、また図１に示されるように、閉鎖フラップ３８、５４のそれぞれは、折り目４１と、該折り目４１の相対する終端部の間で伸びる略Ｕ字形状のスリットまたは切り取り線３９とで画定される。典型的には、以下により詳細に説明されるように、閉鎖フラップ３８、５４は、ブランク１０から組み立てられたカートンのハンドルに対するユーザのグリップを緩衝するように手動で展開される。それとは異なるように構成された閉鎖フラップ３８、５４およびハンドル開口部も、本発明の範囲内である。例えば、代替として、各閉鎖フラップ３８、５４は、２つ以上の閉鎖フラップの形態とすることができる。
【００１７】
接着位置表示は、サイド終端フラップ３２、４０、４８、５６上に、３４、４２、５０および５８の番号により特定される四角形として概略的に指定されるが、異なる形状の接着位置表示を使用することもできる。極めて一般的に述べると、各接着位置表示３４、４２、５０、５８は、接着剤を受ける標的領域とすることができる。より具体的には、また一例によると、各接着位置表示は、「５０％の接着位置部分」を提供するものとすることができるが、５０％は例としてのみ示されたもので、この割合は異なってもよい。一例では、各接着位置表示３４、４２、５０、５８は、その周囲の５０％が切断されてもよいが、以下により詳細に説明されるように、この割合も、接着位置表示３４、４２、５０、５８での板紙の最上層がそれに付着した接着剤とともに分離して除去可能なように、要望により異なってもよい。１つの特定の例では、以下により詳細に説明されるように、接着位置表示３４、４２、５０、５８は、ブランク１０の厚さの約５０％、または他の効果的な量だけ伸びるキスカットにより画定（境界線を引く）することができるため、接着位置表示でのブランクの厚さの一部は、終端フラップ３２、４０、４８、５６から切り離され、それに接着剤が接着された状態である。さらに、以下により詳細に説明されるように、接着位置表示３４、４２、５０、５８は、省略されるか、他の機能で置き換えることが可能である。
【００１８】
図１は、カートン内部から中身を取り除くことができるディスペンサー開口を提供するために、ブランク１０から組み立てられたカートンから少なくとも部分的に切り離すことができる、任意選択の開口機能６２および７２も示している。一般に、開口機能６２は、連続的でも非連続的でもよい１つ以上の切り取り線で画定される。より具体的には、開口機能６２は、トップパネル１２にあり、折り目１１、１３と実質的に平行に示される切り取り線６４、７０により部分的に画定されるものとすることができる。開口機能６２は、さらに、サイドパネル１６に位置し、トップパネル１２における切り取り線６４、７０から斜めに／収束するように伸びる切り取り線６６、６８で画定されるものとすることができる。切り取り線６６および６８は、それぞれ切り取り線６４および７０と折り目１４で交差する。切り取り線６６および６８は、筋向いに伸び、サイドパネル１６のある部分で互いに交わる。ブランク１０またはそれから形成されたカートンからの開口機能６２の分離を補助するために、フィンガーフラップまたは他の機能等、追加の開口機能を含めることができ、そのような追加の開口機能は、通常、切り取り線６６および６８の交点の隣等、切り取り線の１つに沿ったどこかに含められる。
【００１９】
開口機能７２を、開口機能６２と実質的に類似する（例えば鏡像となる）ように図１に示す。開口機能７２は、連続的でも非連続的でもよい１つ以上の切り取り線で画定される。より具体的には、開口機能７２は、トップパネル２８内に伸び、折り目１１、１３と平行な切り取り線７４、８０を含むものとすることができる。開口機能７２は、さらに、サイドパネル２４に位置し、トップパネル２８内に伸びる取り線７４、８０から斜めに／収束するように伸びる切り取り線７６、７８で画定されるものとすることができる。切り取り線７６および７８は、それぞれ切り取り線７４および８０と折り目２６で交差する。切り取り線７６および７８は、略対角線方向に伸び、サイドパネル２４のある部分で互いに交わる。開口機能７２とともに、切り取り線７６および７８の交点等にフィンガーフラップ等の追加の開口機能を含めることができる。
【００２０】
本発明の例示的な実施形態によれば、ブランク１０から組み立てられたカートンは、ハンドルフラップまたは該ハンドルフラップの隣接領域の強度を増加させるための強化機能を含む、強化ハンドルフラップ８２、１０２（図３〜９）を含む。強化ハンドルフラップ８２、１０２は、ブランク１０に含まれ、ハンドルの強度を増加させるための製造工程の間互いに折り重ねることができるいくつかの強化機能を含む。
【００２１】
図２および３を参照して理解できるように、強化ハンドルフラップ８２は、終端フラップ５２の一部であるか、または終端フラップ５２の追加のセグメントであるハンドルパネル５３を含む。より具体的には、また図１および２に示されるように、終端フラップ５２は、ボトムパネル２０に折り目１１で折り曲げ可能に接続され、ハンドルパネル５３に折り目９２で折り曲げ可能に接続される中間部５１を含むものとすることができる。図１に示されるように、折り目９２は閉鎖フラップ５４を横切って伸びる。ハンドル強化部分５５は、スリット、および／またはサイド終端フラップ４８内を伸びる切り取り線８４、８６、８８および９０等の切り取り線、および、他の切り取り線、または強化部分５５をハンドルパネル５３に折り曲げ可能に接続する折り目９１により画定される。切り取り線８６および８８は、閉鎖フラップ５４／閉鎖フラップ５４により閉鎖されるハンドル開口部の対応する部分のプロファイルと実質的に類似したプロファイルを画定する。したがって、強化部分５５が、切り取り線８４、８６、８８、９０に沿ってサイド終端フラップ４８から分離され（突き出され）、折り目９１を中心にハンドルパネル５３上に折り畳まれた（枢動した）際に、切り取り線８６および８８に沿って切り取った結果生じる端部は、実質的に閉鎖フラップ５４と関連したハンドル開口部の隣接した端部に沿って伸び、それと実質的に類似した形状となる。図３に示されるように、サイド終端フラップ４８は、強化部分５５がサイド終端フラップ４８から突き出されたことに少なくとも部分的に起因する開口部を画定する。
【００２２】
同様に、強化パネル６５は、終端フラップ５６にある切り取り線９４、９６、９８、１００と、切り取り線または折り目９３とにより画定される。切り取り線９６および９８は、閉鎖フラップ５４／閉鎖フラップ５４により閉鎖されるハンドル開口部の対応する部分のプロファイルと実質的に類似したプロファイルを画定する。したがって、強化パネル６５が、切り取り線９４、９６、９８、１００に沿ってサイド終端フラップ５６から分離され（突き出され）、折り目９３を中心に折り畳まれた際に、切り取り線９６および９８に沿って切り取った結果生じる端部は、実質的に閉鎖フラップ５４と関連したハンドル開口部の隣接した端部に沿って伸び、それと実質的に類似した形状となる。図３に示されるように、サイド終端フラップ５６は、強化部分６５がサイド終端フラップ５６から突き出されたことに少なくとも部分的に起因する開口部を画定する。
【００２３】
同様に、強化ハンドルフラップ１０２（図４〜９）を形成するための機能が図１に示されるが、強化ハンドルフラップ１０２は、強化ハンドルフラップ８２と実質的に類似している。例えば、ボトム終端フラップ３６内の折り目１１２は、ボトム終端フラップ３６のハンドルパネル３３との境界を定めている。ハンドルパネル３３は、ボトム終端フラップ３６の一部とすることができ、かつ／または、ハンドルパネル３３は、折り目１１２によってボトム終端フラップ３６に折り曲げ可能に接続されるものとすることができ、かつ／または、ハンドルパネル３３は、折り目１１２によってボトム終端フラップの中間部分３７と折り曲げ可能に接続されるものとすることができる。図１に示されるように、折り目１１２は閉鎖フラップ３８を横切って伸びるが、他の配置も適する。例えば、閉鎖フラップ３８、５４等から、折り目１１２、９２を省略してもよい。
【００２４】
切り取り線１０４、１０６、１０８、および１１０は、切り取り線または折り目１１１とともに、終端フラップ４０のセグメントとしてブランク１０に示される強化パネル４５を画定する。切り取り線１０４、１０６、１０８、および１１０に沿った強化部分４５の切り離し（例えばサイド終端フラップ４０からの強化部分４５の突き出し）により、強化部分４５は、強化部分４５がハンドルパネル３３を強化するように、折り目１１１を中心に枢動する（例えば折り曲げられる）ことができる。切り取り線１０６および１０８の形状は、閉鎖フラップ３８および／または閉鎖フラップ３８と関連したハンドル開口部の一部の輪郭に実質的に対応する。
【００２５】
切り取り線１１４、１１６、１１８、および１２０は、切り取り線または折り目１１３とともに、サイド終端フラップ３２のセグメントとして図１に示される強化パネル３５を画定する。切り取り線１１４、１１６、１１８、および１２０の切り離し（例えば、サイド終端フラップ３２からの強化部分３５の突き出し）により、強化パネル３５は、折り目１１３を中心に折り畳まれてハンドルパネル３３に重なることができる。この重なった構成では、切り取り線１１６および１１８に沿って切り取った結果生じる端部は、閉鎖フラップ５４を参照して切り取り線９６および９８について上述したときと同様に、閉鎖フラップ３８／関連したハンドル開口部の対応する部分のプロファイルを辿り、それと実質的に対応するプロファイルを有する。任意選択で、切り抜き／開口部１１９が、それぞれ、強化パネル３５、４５、５５、６５のそれぞれと隣接し、それらの形状を部分的に画定してもよい。
【００２６】
本発明の例示的な実施形態によれば、ブランク１０が形成された後、形成用の、または他の機械により、強化パネル３５、４５、５５、６５がそれぞれの切り取り線に沿って切り離され（例えば突き出され）枢動し、強化する。強化パネル３５および４５は、ハンドルパネル３３に折り重ねられ、接着されてそれを強化し、強化部分５５および６５は、ハンドルパネル５３に折り重ねられ、接着されてそれを強化し、それぞれ強化ハンドルフラップ８２、１０２を形成する。典型的には、強化ハンドルフラップ８２、１０２は、ブランクをカートンに組み立てる前（例えば直前またはかなり前）にブランクに形成される。したがって、本発明の一態様によれば、形成されたハンドルフラップ８２、１０２を含むブランクでも、ブランクと呼ぶことができる。
【００２７】
本発明の代替の実施形態によれば、ハンドルフラップ８２、１０２は強化されない。この場合、それらは、原則的にそれぞれハンドルパネル５３、３３から構成することができる。
【００２８】
本発明の例示的な実施形態に従い、強化ハンドルフラップ８２、１０２がブランクに形成された後、ブランクからカートンを組み立てるための許容される方法を以下に説明する。トップパネル１２、２８の部分の間で重なり合う配置となるよう、例えば折り目１８および２６に沿ってブランクを折り、接着剤または他の手段によりトップパネル１２、２８を互いに固定してスリーブを形成する。次に、折り目１４、１８、２２、２６に沿って折ることでスリーブを開き、パネル１２、１６、２０、２４、２８が開いたスリーブ／カートンの内部に広がるようにする。カンＣまたは他の品物を開いたスリーブの内部に挿入することができる。スリーブの相対する終端部は、それぞれ終端フラップ３０、３２、３６、４０、４４、４６、４８、５２、５６、５０で閉鎖され、それらはそれぞれ、接着剤または他の付着機構により互いに固定されてもよい。
【００２９】
例えば、図４は、ブランク１０から形成された部分的に開いたカートンを示し、円筒状の飲料容器Ｃがその中に入れられているが、本発明はそのような容器Ｃまたは中身に限定されない。図４において、カートンは、仕切りパッド１２２により隔てられた２層にわたり容器Ｃを収容しているが、これは従来通りであってよい。図４に示されている終端部は、例えば、任意選択の仕切りパッド１２２の下向きに伸びるフラップと当接するように、サイド終端フラップ３２、４０を内側に折ることにより部分的に閉鎖される。上部終端フラップ３０、４０は、下向きに折り曲げられ、それぞれ、閉鎖されたサイド終端フラップ３２、４０にしっかりと接着される。強化ハンドル１０２を備えたボトム終端フラップ３６は、ボトム終端フラップ３６の中間部３７がサイド終端フラップ３２、４０の下部分と当接し、強化ハンドル１０２の強化パネル３５、４５もまたサイド終端フラップ３２、４０と当接するように、内側に折り曲げられる。ボトム終端フラップ３６の中間部分３７は、例えば中間部分３７とサイド終端フラップ３２、４０との間に介在する接着剤を用いて、サイド終端フラップ３２、４０にしっかりと接着される。強化ハンドル１０２の強化パネル３５、４５は、例えば強化パネル３５、４５とサイド終端フラップ３２、４０との間に介在する接着剤を用いて、サイド終端フラップ３２、４０に解放可能に接着される。
【００３０】
図５を参照すると、強化ハンドル１０２の強化パネル３５、４５とサイド終端フラップ３２、４０との間の解放可能な接着は、接着位置表示３４、４２を使用して提供することができる。本発明の例示的な実施形態によれば、強化ハンドル１０２の強化パネル３５、４５は、この接着が解放可能なように、接着位置表示３４、４２でのみサイド終端フラップ３２、４０に接着される。例えば、接着位置表示３４、４２は、以下でより詳細に説明されるように、接着位置表示３４、４２に付着された接着剤がサイド終端フラップ３２、４０から引き離された（枢動した）際に、接着位置表示３４、４２の少なくとも一部（例えば板紙の最上層等）がサイド終端フラップ３２、４０から分離できるように、切り込まれてもよい（例えばキスカットや他のカット等）。
【００３１】
カートンの他の終端部は、上述と同様の方式で閉鎖される。つまり、本発明の例示的な実施形態によれば、強化ハンドル８２、１０２が、それぞれサイド終端フラップ３２、４０、４８、５６に解放可能に取り付けられる（例えば解放可能に接着される）ように、強化ハンドル８２、１０２はそれぞれ、接着位置表示３４、４２、５０、５８でのみサイド終端フラップ３２、４０、４８、５６に接着される。あるいは、強化ハンドル８２、１０２はそれぞれ、本明細書に記載の機能性を可能にするために十分な他のあらゆる機構を用いて（例えば解放可能な接着剤を使用して、または剥離コーティングに接着することにより、またはそれらの任意の組合せまたは他の好適な機構により）、サイド終端フラップ３２、４０、４８、５６に解放可能に取り付けることができる。他の代替例として、強化ハンドル８２、１０２とサイド終端フラップ３２、４０、４８、５６との間のすべての接着は、場合によっては省略してもよい。
【００３２】
図６は、完全に組み立てられ、装荷され、閉鎖されたカートンを示す。図７は、強化ハンドルフラップ１０２が部分的に切り離されたカートンを示す。図６に示される閉鎖状態から強化ハンドルフラップ１０２を部分的に切り離し／動かして図７に示される、開いた状態にするためには、例えば折り目１１２または他の線に沿って、ハンドルフラップ１０２を下向きに枢動させる。ハンドルフラップ１０２は、例えば接着位置表示３４、４２の部分をサイド終端フラップ３２、４０から切り取ることにより、サイド終端フラップ３２、４０から接着位置表示３４、４２で切り離される。例えば、接着位置表示３４、４２の断片を、図７において３４ａ、３４ｂ、４２ａおよび４２ｂとして示す。上述のように、ハンドルフラップ１０２は、サイド終端フラップ３２、４０に解放可能に接着されるか、または、接着位置表示３４、４２以外の機能を用いて接続されることが可能であり、代替の実施形態では、ハンドルフラップ１０２とサイド終端フラップ３２、４０との直接的接続は完全に省略されてもよい。
【００３３】
本発明の例示的な実施形態によれば、ハンドルフラップ８２、１０２がサイド終端フラップ３２、４０、４８、５６から切り離された時に、ボトム終端フラップ３６、５２の中間部分３７、５１がサイド終端フラップ３２、４０、４８、５６に接着されたままとなるように、ハンドルフラップ８２、１０２の切り離しの前は、通常、ボトム終端フラップ３６、５２の中間部分３７、５１とサイド終端フラップ３２、４０、４８、５６との間の接着は、ハンドルフラップ８２、１０２とサイド終端フラップ３２、４０、４８、５６との間の接着よりも確実／強固である。あるいは、ボトム終端フラップ３６、５２の中間部分３７、５１は、ハンドルフラップ８２、１０２とともにサイド終端フラップ３２、４０、４８、５６から切り離すことができるが、この場合折り目９２、１１２はボトム終端フラップ３６、５２から省略されてもよい。
【００３４】
図８は、ハンドルフラップ８２、１０２がカートンの残りの部分に対し下向きに反対に切り離された／枢動した、完全に組み立てられたカートンを示し、最初の下向きの枢動には、上述のように、通常ハンドルフラップをサイド終端フラップ３２、４０、４８、５６から引き剥がすことが必要となる。接着位置表示の断片３４ｂ、５８ｂが図８に示されているが、上述のようにこれらは任意である。図９に示されるように、容易にカートンを持ち上げることができるように、ユーザの指がハンドル開口部に挿入されている。１つの許容される例によれば、内側に枢動した閉鎖フラップ３８、５４がユーザのハンドルフラップ８２、１０２へのグリップを緩衝するように、閉鎖フラップ３８、５４を手で内側に枢動させてハンドル開口部を開くことにより、ユーザの指をハンドル開口部に挿入することができるが、閉鎖フラップ３８、５４は、省略されるか、またはそれとは異なるように構成されてもよい。
【００３５】
本発明の例示的な実施形態によれば、カートンは、例えば開口機能を画定する１つ以上の切り取り線に沿って切り取る等、開口機能６２および／または開口機能７２をカートンから少なくとも部分的に切り取ることにより開くことができるが、開くためのその他の方法および機能もまた本発明の範囲に含まれる。
【００３６】
添付の図面において、ハンドルフラップ８２、１０２は、カートンの下部、すなわち各ボトム終端フラップ３６、５２に位置するが、本発明はこの配置または位置付けに限定されない。したがって、ハンドルフラップは、異なる高さおよび位置に配置されてもよい。また、ハンドルはフラップの形態で示され説明されているが、ハンドルは、カートンの残りの部分に対して枢動するフラップではなく、カートンの残りの部分に対して固定されるように、ハンドルフラップのフラップ状の機能性は、ある状況においては省略することができる。さらに、図面に示されているカートンは、どの側でも静置されるよう適応することができる。そのような場合、ハンドルは、サイドパネル、トップおよびボトムパネル、またはそれらの任意の組合せに配置することができる。さらに、ハンドル機能は、図面に示されるような両方の終端パネルの代わりに１つの終端パネルのみに形成されてもよく、他の構成も意図される。
【００３７】
図面に示した実施形態において、カートンは、カンや他の実質的に円筒状の包装品または製品を収納するように示されている。しかし、本発明によれば、他の種類の品物、例えばボトルや箱などを包装内に収納することもできる。ブランクの寸法も、例えば様々な製品や品物等を収納するために変更されてもよい。
【００３８】
本発明の例示的な実施形態によれば、ブランクは、板紙、段ボール、または、上述のそれぞれの機能性の少なくともほとんどを可能にするために好適な他の材料から形成することができる。板紙は、通常、普通紙よりも重く剛性を持つような厚みのものであり、また段ボールは、通常、板紙よりも重く剛性を持つような厚みのものである。典型的には、組み立てたカートンにおいて外面となる、板紙または段ボールの少なくとも側部がクレーコーティング等で被覆される。クレーコーティングには、製品、広告、価格コード、および他の情報または画像をプリントすることができる。ブランクは、次に、ブランクにプリントされたあらゆる情報を保護するためにニスで被覆されてもよい。ブランクはまた、例えば防湿層等で、片側または両側が被覆されてもよい。ブランクは、１つ以上のシート状の材料に積層されるかまたはそれで被覆されてもよい。
【００３９】
本発明の例示的な実施形態によれば、折り目は、それに沿った折り曲げを容易にするような、少なくとも線状に配された（ただし必ずしも直線である必要はない）形態のあらゆる脆弱化された部分であってよく、切り取り線は、それに沿った切り取りを容易にするような、少なくとも線状に配された（ただし必ずしも直線である必要はない）形態のあらゆる脆弱化された部分であってよい。より具体的には、しかし本発明の範囲を狭めることを目的とせず、従来の折り目としては、例えば折り曲げることにより形成されるような皺；所望の脆弱な部分の線に沿って材料に押し潰した部分を形成する、スコアリングナイフ等で形成されるような折り線；所望の脆弱な部分の線に沿って材料に部分的に貫入するスリット、および／または、所望の脆弱な部分の線に沿って材料に部分的に、かつ／または完全に貫入する、一連の相隔たるスリット；または、それらの機能の様々な組合せが含まれる。より具体的には、しかし本発明の範囲を狭めることを目的とせず、従来の切り取り線としては、所望の脆弱な部分の線に沿って材料に部分的に貫入するスリット、および／または、所望の脆弱な部分の線に沿って材料に部分的に、かつ／または完全に貫入する、一連の相隔たるスリット；または、それらの機能の様々な組合せが含まれる。
【００４０】
より具体的な例として、従来の切り取り線の１つの種類は、材料に完全に貫入する、一連の相隔たるスリットの形態であり、通常一時的に切り取り線を介して材料を接続するために、刻み目（例えば、材料の小さい橋状の部分）が隣接したスリットの間に画定されるように、隣接したスリットは僅かに隔たっている。刻み目は、切り取り線に沿って切り取っている間に破壊される。典型的には、刻み目は、切り取り線のうち比較的少ない割合を占め、あるいは、継ぎ目は切り取り線から省略されるか、または、切り取り線が連続した切れ目となるように、切り取り線に沿って切り取られる。つまり、切り取り線のそれぞれが、連続したスリット等で置き換えられることも、本発明の範囲内である。
【００４１】
本発明の例示的な実施形態によれば、折り目および切り取り線はともに、より一般的に分割線と呼ぶことができる。
例示目的として、本発明の例示的な実施形態は、カン等の容器をその内部に含むように構成される板紙カートンとして開示されている。図面に一般化されて示されたカートンは、あるサイズをもつカートンとして示されているが、本発明は、いかなる特定のサイズまたは寸法にも限定されないことが理解されるだろう。例えば、本発明のカートンは、より薄い、厚い、および／またはより不規則な形状の品物等、他の構成の品物を保持するようなサイズおよび形状とすれば十分に機能するだろう。また、本発明の機能は、品物に容易にアクセスできるようにする開口機能、品物およびカートンを位置付ける傾斜機能、追加のハンドル機能、複数の開口、他の開口またはハンドル機能等、様々な他の機能を含むカートンに使用することもできる。さらに、非四角形または非正方形または非平行六面体のカートンおよび六角形カートン等、異なる形状のカートンも本発明の範囲内である。
【００４２】
また、例示目的として、本発明の例示的な実施形態は、開口機能６２、７２を画定する切り取り線とともに示されている。しかし、本発明は、いかなる特定の開口機能、または該開口機能により形成された開口にも限定されない。さらに、そしてより一般的に、カートンの中身（例えばカンやボトル等の品物）は、終端フラップの開封、注ぎ口、それ以外の構成による開口機能または他の機構等、他の手段によりアクセス可能であるため、開示された開口機能および関連したディスペンサー開口部は、任意選択（つまり省略可能）とすることができる。
例示的な実施形態を参照しながら本発明を上に説明したが、付随する請求項に記載された本発明の主旨および範囲から逸脱しない限り、様々な追加、修正、および変更を行うことができることが、当業者には理解されるだろう。
【図面の簡単な説明】
【００４３】
【図１】カートンを形成することができるブランクの平面図である。
【図２】図１のブランクの一部の拡大図である。
【図３】図２に示される部分を図示しており、ハンドルを強化するために強化パネルが内側に折り畳まれている。図３は、図１のブランクから形成される、改良ブランクの一部を図示するものとすることができる。
【図４】図３のブランクから組み立てられたカートンを示し、カートンの終端部が部分的に開かれ、カートン内部に品物がある。
【図５】図４に示される終端部の部分図であり、この末端はさらに閉鎖され、接着位置表示が四角形により概略的に図示されている。
【図６】完全に閉鎖された図４および５の終端部を示す。
【図７】カートンを持ち上げる際に使用できるように、強化ハンドルフラップが部分的に切り離されて外側に枢動した、図６の終端部を示す。
【図８】カートンを持ち上げるために使用できるように、両方の強化ハンドルフラップが部分的に切り離されて外側に枢動した、完全に組み立てられたカートンを示す。
【図９】図８と類似しているが、強化ハンドルフラップによりカートンを持ち上げるユーザが示されている。
【図１】
2009524560.tif 000003
【図２】
2009524560.tif 000004
【図３】
2009524560.tif 000005
【図４】
2009524560.tif 000006
【図５】
2009524560.tif 000007
【図６】
2009524560.tif 000008
【図７】
2009524560.tif 000009
【図８】
2009524560.tif 000010
【図９】
2009524560.tif 000011
【国際調査報告】
2009524560.tif 000012
2009524560.tif 000013
2009524560.tif 000014